【事件の表示】
　上記当事者間の登録第２７２１１８９号商標の登録取消審判事件について、次のとおり審決する。
【結　論】
　本件審判の請求は、成り立たない。
　審判費用は、請求人の負担とする。
【理　由】
第１　本件商標
　本件登録第２７２１１８９号商標（以下「本件商標」という。）は、「ＰＯＬＯ」の欧文字を横書してなり、昭和５６年４月６日に登録出願、第１７類に属する商標登録原簿に記載のとおりの商品を指定商品として、平成９年５月２日に設定登録され、その後、同２０年８月６日に、第５類「失禁用おしめ」、第９類「事故防護用手袋，防じんマスク，防毒マスク，溶接マスク，防火被服」、第１０類「医療用手袋」、第１６類「紙製幼児用おしめ」、第１７類「絶縁手袋」、第２０類「クッション，座布団，まくら，マットレス」、第２１類「家事用手袋」、第２２類「衣服綿，ハンモック，布団袋，布団綿」、第２４類「布製身の回り品，かや，敷布，布団，布団カバー，布団側，まくらカバー，毛布，湯たんぽカバー，座布団カバー，クッションカバー，こたつ布団，こたつ布団カバー，こたつ用敷き布団，こたつ中掛け，こたつ布団用上掛け」及び第２５類「被服」を指定商品とする書換登録がなされ、現に有効に存続しているものである。
　
第２　請求人の主張
　請求人は、商標法第５０条第１項の規定により、本件商標の指定商品中「第２５類　全指定商品」の登録を取り消す、審判費用は被請求人の負担とする、との審決を求め、その理由及び答弁に対する弁駁を要旨次のように述べ、証拠方法として、甲第１号証及び甲第１２号証（枝番を含む。）を提出した。
１　請求の理由
　請求人が調査した結果、本件商標は、商標権者によって、少なくとも過去３年以内日本国内でその指定商品には使用されていない。
　したがって、本件商標は、商標法第５０条第１項の規定により取り消されるべきである。
２　答弁に対する弁駁
（１）被請求人提出の「使用証明」を見る限り、あくまでも「ＰＯＬＯブランド」として世界的に有名な米国「ラルフ・ローレン」商品の「著名性」に便乗して、利用する目的で使用された「不正商品」である。
　これ等の商品は明らかに「不正競争防止法違反」に該当するものである。
（２）被請求人の商品販売は、「ラルフ・ローレン」の商品であるように消費者を誤認させる目的で製造されている。
　そして、同一のデザインでありながら、値段はその半値とし、誤認した消費者に商品を買わせ「不正な使用方法」である（甲第２号証）。
（３）被請求人の「宣伝方法」
　被請求人の行為は、「不正競争防止法」に該当するものである。
　ア　ラルフ・ローレンの「ＰＯＬＯ」（甲第３号証の１）
　イ　被請求人の「ＰＯＬＯ」（甲第３号証の２）
（４）提出された証拠は、違法なもので、商標法第４条第１項第７号、同第８号、同第１０号、同第１５号、同第１６号及び同第１９号に該当し、無効であるから、証拠としては採用すべきではない。
（５）被請求人の会社は「グンゼ」のダミー会社である。「グンゼ」は日本を代表する繊維会社であり、明治以来日本人に知られた大手企業である。被請求人の会社案内を見ると「本件商標」を９社に貸与し、不正行為を常習的に行っている。昭和に入って「ラルフ・ローレン」ブームに便乗して「まがいもの商品」を自ら作ったり、他社に使用許諾して膨大な利益をあげている（甲第４号証、甲第５号証の１）。　
（６）本件商標の不正な宣伝広告 
　被請求人は、本件商標をあたかも米国「ラルフ・ローレン」の「ＰＯＬＯ」を誤認させるような新聞広告を業界紙に連続して行い、小売店やメーカー等に消費者を「ＰＯＬＯ」と誤認させるように指導していた。 
　その方法は、本件商標のうち「ＰＯＬＯ」のみを強調して宣伝広告していた。これは本件商標を正確に使用するのではなく「不正な使用」であり「不正なビジネス」を行ったことを示すものであり、被請求人が答弁書で使用例を提出してもその使用実績とはいえない（甲第５号証の２）。 
（７）上記「グンゼ」は下着販売等の一般消費者を対象にしている会社に関わらず海外の「知的財産権」について尊重しないことで有名である（甲第６号証）。 
（８）本件商標は、他人（ラルフ・ローレン）の業務に係る商品又は役務と混同を生じるおそれがある商標であるから、商標法第４条第１項第１５号に該当する商標である（甲第８号証）。 
（９）本件商標の実際の使用方法は、不正であり、証拠にならない。 
　提出された証拠をみると、本件商標「ＰＯＬＯ」の下に「ＢＲＩＴＩＳＨ　ＣＯＵＮＴＲＹ　ＳＰＩＲＩＴ」の文字を小さく組み合わせ使用しているが、これは商標の正確な使用方法ではない。 
　このような使用方法は、「ラルフ・ローレン」の商品に関しての不正競争防止法違反を逃れる為、本件商標の下に「ＢＲＩＴＩＳＨ　ＣＯＵＮＴＲＹ　ＳＰＩＲＩＴ」を小さく表示したにすぎず、何の意味もなく、必然性もない。甲第２号証の商品を見ると、「ラルフ・ローレン」が「ＰＯＬＯ」の下に「ＲＡＬＰＨＬＡＵＲＥＮ」と書かれてあり、被請求人の商品が「ＰＯＬＯ」の下に「ＢＲＩＴＩＳＨ ＣＯＵＮＴＲＹ ＳＰＩＲＩＴ」と書かれている。これを見る限り被請求人は、「ラルフ・ローレン」に故意に似せて消費者を誤認させる目的で販売している。 
（１０）これらの証拠を「使用実績」として「特段の事情のない限りは、当該登録商標と社会通念上同一の商標が使用されたものと評価されるべきである」等と採用するのではなく、上記の被請求人の「不正な使用目的」を考え、厳密な「使用判断」をすべきである。但し、上記「特段の事情」があるとすれば、「不正競争の目的」で本件商標が使用されている事である（甲第１１号証）。 
　
第３　被請求人の答弁
　被請求人は、結論同旨の審決を求めると答弁し、その理由を要旨次のように述べ、証拠方法として、乙第１号証証ないし乙第１４号証を提出した。
１　理由
　本件審判の請求の登録日である平成２１年５月２０日前３年以内に、日本国内において商標権者、専用使用権者又は通常使用権者のいずれかが、本件商標の指定商品中、第２５類の指定商品のいずれかについて、本件商標（社会通念上同一と認められる商標を含む。）の使用をしていることを、立証する。
（１）商品写真及び納品書（控）の写しによる使用証明
　品番５７３４０４６７２の商品「ネクタイ」の商品写真及び納品書（控）の写しである乙第１号証により、本件商標の平成１８年９月３日に使用権者である株式会社ホソケンによる使用を立証する。
　品番８７３４０４６７２の商品「マフラー」の商品写真及び納品書（控）の写しである乙第２号証により、本件商標の平成１８年１１月１日に使用権者である株式会社ホソケンによる使用を立証する。
　品番５７３４０５７７２の商品「ネクタイ」の商品写真及び納品書（控）の写しである乙第３号証により、本件商標の平成１９年３月２４日に使用権者である株式会社ホソケンによる使用を立証する。
　品番５７３４０７８７２の商品「ネクタイ」の商品写真及び納品書（控）の写しである乙第４号証により、本件商標の平成２０年２月２５日に使用権者である株式会社ホソケンによる使用を立証する。
　本件商標の専用使用権者の許諾に係る未登録の通常使用権者である株式会社ホソケンの使用による商品写真に撮影された品番と納品書（控）の写しに記された品番とが一致するとともに、本件商標の指定商品旧商品区分第１７類に属する商品「ネクタイ」及び「マフラー」の商品写真の商品タグには本件商標が明瞭に撮影されている。
（２）商品カラーコピー及び物品受領書の写しのよる使用証明
　品番ＮＸＥ１５１の商品「スポーツシャツ」の商品カラーコピー及物品受領書の写しである乙第５号証により、本件商標の２００９年１月２１日に使用権者である山喜株式会社による使用を立証する。
　品番ＮＸＣ３２５の商品「チョッキ」の商品カラーコピー及び物品受領書の写しである乙第６号証により、本件商標の２００９年１月２３日に使用権者である山喜株式会社による使用を立証する。
　品番ＮＸＥ１５６の商品「スポーツシャツ」の商品カラーコピー及び物品受領書の写しである乙第７号証により、本件商標の２００９年１月２４日に使用権者である山喜株式会社による使用を立証する。
　本件商標の許諾に係る未登録の通常使用権者である山喜株式会社の使用による商品カラーコピーに複写された品番と物品受領書控に記された品番とが一致するとともに、旧商品区分第１７類の指定商品に属する商品「チョッキ」及び「スポーツシャツ」の商品カラーコピーの商品タグには本件商標が明瞭に複写されている。
（３）商品カラーコピー及び納品書（控）の写しのよる使用証明
　品番２９８６１ＰＨの商品「パジャマ」の商品カラーコピー及び納品書（控）の写しである乙第８号証により、本件商標の２００８年１２月１２日に使用権者である株式会社カイタックファミリーによる使用を立証する。
　品番１１８６１ＰＢの商品「パジャマ」の商品カラーコピー及び納品書（控）の写しである乙第９号証により、本件商標の２００８年１２月２２日に使用権者である株式会社カイタックファミリーによる使用を立証する。
　品番１３９１２ＰＨの商品「パジャマ」の商品カラーコピー及び納品書（控）の写しである乙第１０号証により、本件商標の２００９年１月２７日に使用権者である株式会社カイタックファミリーによる使用を立証する。
　本件商標の許諾に係る未登録の通常使用権者である株式会社カイタックファミリーの使用による商品カラーコピーに複写された品番と納品書（控）に記された品番とが一致するとともに、旧商品区分第１７類の指定商品に属する商品「パジャマ」の商品カラーコピーの商品タグには本件商標が明瞭に複写されている。
（４）商品広告による使用証明
　２００６年（平成１８年）８月１６日、日本経済新聞社発行の「日経産業新聞」に掲載された商品広告の写しである乙第１１号証により、本件商標の平成１８年８月１６日に商標権者による使用を立証する。
　２００８年１０月２０日、朝日新聞出版発行の「ＡＥＲＡ‘０８．１０．２０」に掲載された商品広告の写しである乙第１２号証により、本件商標の平成２０年１０月２０日に商標権者による使用を立証する。
　２００８年１１月１０日、朝日新聞出版発行の「ＡＥＲＡ‘０８．１１．１０」に掲載された商品広告の写しである乙第１３号証により、本件商標の平成２０年１１月１０日に商標権者による使用を立証する。
　乙第１１号証ないし乙第１３号証には、発行日はもちろんのこと、本件商標及び本件商標権者である広告主名とともに旧商品区分第１７類の指定商品「被服」に含まれる「Ｍｅｎｓ　Ｗｅａｒ」「Ｌａｄｉｅｓ　Ｗｅａｒ」等の記載がある。
（５）インターネットウェブサイトによる使用証明
　請求人が無効２００９−８９００３９の審判請求書の証拠方法として提出した甲第７号証、甲第１０号証の１ないし甲第１０号証の４の写しを本件審判請求の乙第１４号証として提出する。
　すなわち、乙第１４号証には、日付とともに本件商標の商標権者及び使用権者による本件商標の指定商品についての使用が、明確に表示されており、充分に本件商標の使用を立証するものであると思料する。
２　まとめ
　以上のとおり、本件商標は、日本国内において継続して３年以内に商標権者及び通常使用権者が商品「被服」に使用しており、商標法第５０条第１項の規定に該当しない。
　
第４　当審の判断 
１ 被請求人の提出に係る乙第１号証ないし乙第１４号証によれば、以下の事実が認められる。
（１）乙第１号証は、「ネクタイ」の写真２枚と、株式会社ホソケンから堀越ネクタイ株式会社宛の納品書（控）の写しであって、上段左側の写真はネクタイの裾の裏側部分であり、当該部分には、「５７３４０」「４６７２」の数字が二段に表示されているシールが貼付されている。
　上段右側の写真には、「ＰＯＬＯ」と表示されたタグが架けられたネクタイが写されている。
　そして、下段の納品書（控）の写しには、「１８年９月３日」の日付があり、品番の欄に「５７３４０４６７２」、品名の欄に「ＰＯＬＯ」、数量の欄に「５７６」、単価の欄に「１１５０」、仕入原価の欄に「６６２４００」の記載がある。
（２）乙第２号証は、「マフラー」の写真２枚と、株式会社ホソケンから堀越ネクタイ株式会社宛の納品書（控え）の写しであって、上段左側はマフラーの裏側部分の拡大写真であり、当該部分には、「８７３４０」「４６７２」の数字が二段に表示されているシールが貼付されている。
　上段右側の写真には、「ＰＯＬＯ」と表示された布製のタグが縫い付けられ、さらに、該タグに「ＰＯＬＯ」と表示されたタグが架けられたマフラーが写されている。
　そして、下段の納品書（控）の写しには、「１８年１１月１日」の日付があり、品番の欄に「８７３４０４６７２」、品名の欄に「ＰＯＬＯ、マフラー」、数量の欄に「２４０」、単価の欄の一段目に「８２０」、仕入原価の欄に「１９６８００」の記載がある。
（３）乙第３号証は、「ネクタイ」の写真２枚と、株式会社ホソケンから堀越ネクタイ株式会社宛の納品書（控）の写しであって、上段左側の写真はネクタイの裾の裏側部分であり、当該部分には、「５７３４０」「５７７２」の数字が二段に表示されているシールが貼付されている。
　上段右側の写真には、「ＰＯＬＯ」と表示されたタグが架けらけたネクタイが写されている。
　そして、下段の納品書（控）の写しには、「１９年３月２４日」の日付があり、品番の欄に「５７３４０５７７２」、品名の欄に「ＰＯＬＯ」、数量の欄に「３５６」、単価の欄に「１１５０」、仕入原価の欄に「４１９７５０」の記載がある。
（４）乙第４号証は、「ネクタイ」の写真２枚と、株式会社ホソケンから堀越ネクタイ株式会社宛の納品書（控）の写しであって、上段左側の写真はネクタイの裾の裏側部分であり、当該部分には、「５７３４０」「７８７２」の数字が二段に表示されているシールが貼付されている。
　上段右側の写真には、「ＰＯＬＯ」と表示されたタグが架けられたネクタイが写されている。
　そして、下段の納品書（控）の写しには、「２０年２月２５日」の日付があり、品番の欄に「５７３４０７８７２」、品名の欄に「ＰＯＬＯ」、数量の欄に「４００」、単価の欄に「１１５０」、仕入原価の欄に「４６００００」の記載がある。
（５）乙第５号証は、シャツの写真と物品受領書の写しであり、シャツに「ＰＯＬＯ」及び「Ｍ」と表記された襟タグが縫い付けられ、胸部のボタンホールには「この製品はポロ・ビーシーエス（株）との提携により企画・製造されたものです。」、「ＮＯ．ＮＸＥ１５１」、「ＹＡＭＡＫＩＣＯ.,ＬＴＤ．」と表示されたタグが架けられている。
　また、物品受領書の写しには、発注日の欄に「０９．１．９」、納品日の欄に「０９．１．２１」、取引先名の欄に「ヤマキ　カブシキガイシャ」、社名の欄に「Ｋ．Ｋベイシア」、品名・規格の欄の三段目に「ＮＯ．３９１５１　ツイカフカ／ＰＯＬＯ　オックスＣＨ　ＮＸＥ１５１」、数量の欄の三段目に「４」、原価金額の欄の三段目に「７８００」の記載がある。
（６）乙第６号証は、チョッキの写真と物品受領書の写しであり、チョッキに「ＰＯＬＯ」及び「Ｌ」と表記された襟タグが縫い付けられ、そこには「この製品はポロ・ビーシーエス（株）との提携により企画・製造されたものです。」、「ＮＯ．ＮＸＣ３２５」、「ＹＡＭＡＫＩＣＯ.,ＬＴＤ．」と表示されたタグが架けられている。
　また、物品受領書の写しには、発注日の欄に「０９．１．１９」、納品日の欄に「０９．０１．２３」、取引先名の欄に「Ｃヤマキ　（カ）」、社名の欄に「イオンマルシェ」、品名・規格の欄の二段目に「ポロラインベスト　０４ＧＲＹ　Ｌ」「０４グレー　１００４Ｌ」、商品コードの欄の二段目に「ＮＸＣ３２５」、「４９２０５１４４１０５８３」、数量の欄の二段目に「１」、原価金額の欄二段目に「２３５２」の記載がある。
（７）乙第７号証は、シャツの写真と物品受領書の写しであり、シャツに「ＰＯＬＯ」及び「ＬＬ」と表記された襟タグが縫い付けられ、胸部のボタンホールには「この製品はポロ・ビーシーエス（株）との提携により企画・製造されたものです。」、「ＮＯ．ＮＸＥ１５６」、「ＹＡＭＡＫＩＣＯ.,ＬＴＤ．」と表示されたタグが架けられている。
　また、物品受領書の写しには、発注日の欄に「０９．０１．２１」、納品日の欄に「０９．０１．２４」、取引先名の欄に「山喜株式会社」、社名の欄に「福田屋百貨店」、品名・規格の欄の三段目に「ＮＸＥ１５６」、数量の欄の三段目に「２０」、原価金額の欄の三段目に「３７４４０」の記載がある。
（８）乙第８号証は、丸首パジャマの写真と納品書（控）の写しであり、丸首パジャマに「ＰＯＬＯ」及び「Ｍ」と表記された襟タグが縫い付けられ、首部に「ＰＯＬＯ」、「この製品はポロ・ビーシーエス（株）との提携により企画・製造されたものです。」、「ＮＯ．２９８６１ＰＨ」、「株式会社カイタックファミリー」と表示されたタグが架けられている。
　また、納品書（控）の写しには、年月日の欄に「０８．１２．１２」、取引先名の欄に「Ｋ，Ｋ，カイタツクファミリー」、社名の欄に「ニチリュウ　オークワ」、品名・規格の欄の二段目に「２９８６１ＰＨ」「ポロＴ／Ｃシャギーマルクビハンカイ」、数量の二段目に「１０」の記載があり、原単価、原価金額、原価金額合計の各欄はマスキングされている。
（９）乙第９号証は、パジャマと納品書（控）の写しであり、パジャマに「ＰＯＬＯ」及び「Ｌ」と表記された襟タグが縫い付けられ、胸部のボタンホールには「ＰＯＬＯ」、「この製品はポロ・ビーシーエス（株）との提携により企画・製造されたものです。」、「ＮＯ．１１８６１ＰＢ」、「株式会社カイタックファミリー」と表示されたタグが架けられている。
　また、納品書（控）の写しには、年月日の欄に「０８．１２．２２」、取引先名の欄に「Ｋ，Ｋ，カイタツクファミリー」、社名の欄に「ニチリュウ　オークワ」、品名・規格の欄の一段目に「１１８６１ＰＢ」「ポロサキゾメカルゼコウシ」、数量の欄の一段目に「９２」の記載があり、原単価、原価金額、原価金額合計の各欄はマスキングされている。
（１０）乙第１０号証は、パジャマと納品書（控）の写しであり、パジャマに「ＰＯＬＯ」及び「Ｍ」と表記された襟タグが縫い付けられ、胸部のボタンホールには「ＰＯＬＯ」、「この製品はポロ・ビーシーエス（株）との提携により企画・製造されたものです。」、「ＮＯ．１３９１２ＰＨ」、「株式会社カイタックファミリー」と表示されたタグが架けられている。
　また、納品書（控）の写しには、発注日の欄に「０９．０１．２３」、納品日の欄に「０９．０１．２７」、取引先名の欄に「（カ）カイタツクファミリー」、社名の欄に「オークワ」、品名・規格の欄の一段目に「Ｍ　　０００３　００／ヨウボウ　シンシシャツパジャマ」、商品コードの欄の一段目に「１３９１２ＰＨ」、数量の欄の一段目に「４０」の記載があり、原単価、原価金額、原価金額合計の各欄はマスキングされている。
（１１）乙第１１号証は、２００６年（平成１８年）８月１６日付けの「日経産業新聞」４面の写しで、その２枚目の下段には、右に「Ｍｅｎｓ　Ｗｅａｒ」「Ｌａｄｉｅｓ　Ｗｅａｒ」「Ｋｉｄｓ　Ｗｅａｒ」「Ｓｗｉｍ　Ｗｅａｒ」「Ｈｏｍｅ　Ｗｅａｒ」「Ｉｎｎｅｒ　Ｗｅａｒ」「Ｌｅｇ　Ｗｅａｒ」等の表示があり、その下に黒地四角形内に白抜きで大きく「ＰＯＬＯ」、ごく小さく「ＢＲＩＴＩＳＨ　ＣＯＵＮＴＲＹ　ＳＰＩＲＩＴ」と二段に表示され、さらに、その下に「ＰＯＬＯ　ＢＣＳ　ＣＯ．，ＬＴＤ．」の表示がある広告が掲載されている。
（１２）乙第１２号証は、２００８年（平成２０年）１０月２０日、朝日新聞出版発行の雑誌「ＡＥＲＡ」に掲載された広告の写しで、その２枚目の下中央には青地四角形内に白抜きで大きく「ＰＯＬＯ」、ごく小さく「ＢＲＩＴＩＳＨ　ＣＯＵＮＴＲＹ　ＳＰＩＲＩＴ」と二段に表示され、その下に「ＰＯＬＯ　ＢＣＳ　ＣＯ．，ＬＴＤ」の表示、下段には「Ｍｅｎｓ Ｗｅａｒ　Ｌａｄｉｅｓ Ｗｅａｒ　Ｋｉｄｓ Ｗｅａｒ　Ｓｗｉｍ Ｗｅａｒ　Ｈｏｍｅ Ｗｅａｒ　Ｉｎｎｅｒ Ｗｅａｒ　Ｌｅｇ Ｗｅａｒ」等の表示がある。
（１３）乙第１３号証は、２００８年（平成２０年）１１月１０日、朝日新聞出版発行の雑誌「ＡＥＲＡ」に掲載された広告の写しで、その２枚目の下中央には青地四角形内に白抜きで大きく「ＰＯＬＯ」、ごく小さく「ＢＲＩＴＩＳＨ　ＣＯＵＮＴＲＹ　ＳＰＩＲＩＴ」と二段に表示され、その下に「ＰＯＬＯ　ＢＣＳ　ＣＯ．，ＬＴＤ」の表示、下段に「Ｍｅｎｓ Ｗｅａｒ　Ｌａｄｉｅｓ Ｗｅａｒ　Ｋｉｄｓ Ｗｅａｒ　Ｓｗｉｍ Ｗｅａｒ　Ｈｏｍｅ Ｗｅａｒ　Ｉｎｎｅｒ Ｗｅａｒ　Ｌｅｇ Ｗｅａｒ」等の表示がある。
２　上記において認定した事実によれば、本件商標に係る商標権（以下、「本件商標権」という。）の通常使用権者と認められる株式会社ホソケンは、堀越ネクタイ株式会社に平成１８年９月３日にネクタイ５７６枚を、同年１１月１日にマフラー２４０枚を、同１９年３月２４日にネクタイ３６５枚及び同２０年２月２５日にネクタイ４００枚を納品したと認められる（乙第１号証ないし乙第４号証）。
　本件商標権の通常使用権者と認められる山喜株式会社から、「Ｋ．Ｋベイシア」は２００９年（平成２１年）１月２１日にシャツ４枚を、「イオンマルシェ」は同年１月２３日にチョッキを１枚を、福田屋百貨店は同年１月２４日にシャツ２０枚を受領したと認められる（乙第５号証ないし乙第７号証）。
　本件商標権の通常使用権者と認められる株式会社カイタックファミリーは、「ニチリュウ　オークワ」に２００８年（平成２０年）１２月１２日に丸首パジャマ１０枚を、同年１２月２２日にパジャマ９２枚を、また、「オークワ」に２００９年（平成２１年）１月２７日にパジャマ４０枚を納品したと認められる（乙第８号証ないし乙第１０号証）。
　そして、それらのネクタイ、マフラー、シャツ、チョッキ、及びパジャマには、本件商標と社会通念上同一と認められる商標が表示されたタグが付されている。（乙第１号証ないし乙第１０号証）。
　また、被請求人は、２００６年（平成１８年）８月１６日付け日経産業新聞に、２００８年（平成２０年）１０月２０日及び同年１１月１０日朝日新聞出版発行の雑誌「ＡＥＲＡ」に、紳士用被服、婦人用被服、子供服等について、本件商標と社会通念上同一と認められる商標を付してそれぞれ広告したことが認められる（乙第１１号証ないし乙第１３号証）。
３　以上を総合すると、本件商標権の通常使用権者は、本件審判の請求の登録前３年以内に日本国内において、本件商標と社会通念上同一と認められる商標を本件審判請求に係る指定商品第２５類「被服」に含まれる「ネクタイ、マフラー、シャツ、チョッキ、パジャマ」について、使用していたと認められ、また、被請求人は、同じく「被服」に含まれる紳士用被服、婦人用被服、子供服等について本件商標と社会通念上同一と認められる商標を付して広告したと認められる。
４　請求人の主張について
　請求人は、「被請求人の商品の販売、宣伝方法は、不正行為であり、不正競争防止法違反に該当するものである。また、提出された証拠は、違法なもので無効であり、本件商標が商標法第４条第１項第７号、同第８号、同第１０号、同第１５号、同第１６号及び同第１９号に該当するものであるから、証拠として採用すべきではない。」旨主張している。
　しかしながら、請求人が提出した甲各号証によっては、被請求人の商品の販売、宣伝方法が不正行為に当たるとは認められないし、被請求人が提出した乙各号証は、その内容、体裁からして不正行為によるものとは認められず、また、本件商標が商標法第４条第１項各号に該当するとの主張は、商標法第５０条第１項の商標登録の取消しの審判とは関係のないことであるから、請求人の主張は採用できない。
５　むすび
　以上のとおりであるから、被請求人は、本件審判の請求の登録前３年以内に日本国内において、本件商標と社会通念上同一と認められる商標を本件審判請求に係る指定商品第２５類「被服」に含まれる「ネクタイ、マフラー、シャツ、チョッキ、パジャマ」について、通常使用権者が使用していたことを証明し、また、被請求人は、本件審判の請求の登録前３年以内に日本国内において、同じく「被服」に含まれる紳士用被服、婦人用被服、子供服等について、本件商標と社会通念上同一と認められる商標を使用していたことを証明したものといわざるを得ない。
　したがって、本件商標の指定商品中、取消請求に係る商品についての登録は、商標法第５０条の規定により取り消すことはできない。
　よって、結論のとおり審決する。